(57)【要約】【課題】種々様々な形状の二輪車用バックミラーにおいて、二輪車の進路を側方及び後方の他車両に容易かつ確実に知らしめることができる二輪車用バックミラーキットを提供する。【解決手段】二輪車用バックミラー２のミラー部２１に装着して用いられるバックミラーキット１であって、ミラー部２１の表面に取付けられ、表面側に照射された光を反射するとともに、裏面側から照射された光を表面側に透過するハーフミラー１１と、該ハーフミラー１１の裏面に設けられる発光ダイオード１２と、該発光ダイオード１２に電力を供給するケーブル１４とを備える。【選択図】図２
0003130154.tif 000002
【実用新案登録請求の範囲】
【請求項１】
二輪車用バックミラーのミラー部に装着して用いられるバックミラーキットであって、
前記ミラー部の表面に取付けられ、表面側に照射された光を反射するとともに、裏面側から照射された光を表面側に透過するハーフミラーと、
該ハーフミラーの裏面に設けられる発光ダイオードと、
該発光ダイオードに電力を供給するケーブルと
を備えることを特徴とするバックミラーキット。
【請求項２】
請求項１記載のバックミラーキットにおいて、
前記発光ダイオードは、運転手から見て右側に取付けられるものは右側を指すように、左側に取付けられるものは左側を指すように、方向を表す形状に配置されて成ることを特徴とするバックミラーキット。
【請求項３】
請求項１又は２記載のバックミラーキットにおいて、
前記発光ダイオードは、ハーフミラー又はバックミラーに取付けられる基板に設けられていることを特徴とするバックミラーキット。
【請求項４】
ミラー部と、該ミラー部を収納するハウジングと、該ハウジングを支持する中空の支持体とを備えた二輪車用バックミラーであって、
前記ミラー部は、表面側に照射された光を反射するとともに、裏面側から照射された光を表面側に透過するハーフミラーと、該ハーフミラーの裏面に設けられる発光ダイオードと、該発光ダイオードに電力を供給するケーブルとを備え、
前記ケーブルは、前記ミラー部の裏面側から前記ハウジング及び前記支持体の内部に挿通されていることを特徴とする二輪車用バックミラー。
【請求項５】
ミラー部と、該ミラー部を収納するハウジングと、該ハウジングを支持する支持体とを備えた二輪車用バックミラーであって、
前記ミラー部は、表面側に照射された光を反射するとともに、裏面側から照射された光を表面側に透過するハーフミラーと、該ハーフミラーの裏面に設けられる発光ダイオードと、該発光ダイオードに電力を供給するケーブルとを備え、
前記支持体は、外面にその延伸方向に沿って設けられた溝部を有し、
前記ケーブルは、前記ミラー部の裏面側から前記溝部を通して配線されていることを特徴とする二輪車用バックミラー。
【請求項６】
請求項４又は５記載の二輪車用バックミラーにおいて、
前記発光ダイオードは、運転手から見て右側に取付けられるものは右側を指すように、左側に取付けられるものは左側を指すように、方向を表す形状に配置されて成ることを特徴とする二輪車用バックミラー。
【請求項７】
請求項４乃至６のいずれか１項記載の二輪車用バックミラーにおいて、
前記発光ダイオードは、ハーフミラーに取付けられる基板に設けられていることを特徴とするバックミラーキット。
【考案の詳細な説明】
【技術分野】
【０００１】
本考案は、例えば自動二輪車等のバックミラー及びバックミラーに装着して用いられるバックミラーキットに関する。
【背景技術】
【０００２】
従来、自動二輪車のウインカは、車体の前方と後方の左右にそれぞれ２箇所に設けられており、前方及び後方の車両等から自動二輪車の動きが把握し易いようになっている。ところで、かかる自動二輪車のウインカでは側方からの視認性が低い。そのため、バックミラーケーシングのうち、ミラーより外側の縁端部にウインカ機能を有する発光部を突設し、部品点数を削減したものが知られている（特許文献１参照）。かかるウインカ機能付きバックミラーによれば、発光部がバックミラーケーシングから突出して設けられているため、右左折時に点滅するウインカを前後及び左右方向からの視認できるようになっている。
【特許文献１】特開２００１−２１３３７５号公報
【考案の開示】
【考案が解決しようとする課題】
【０００３】
しかしながら、かかるウインカ機能付きバックミラーでは、外側に向かって発光部が設けられていることから、側面方向からの視認性は良好であっても、前後方向からの視認性を十分に確保することができない。特に、後方又はやや後方を並走する車両からの視認性は、ミラーによって発光部からの光の一部が遮られるため、これらの車両からは二輪車の進路が把握され難い。
【０００４】
また、かかるウインカ機能付きバックミラーでは、バックミラーに突出した発光部が設けられていることから、バックミラーケーシングが大型化し、種々の二輪車にマッチしたバックミラーの形状をデザインすることが困難となる。
【０００５】
そこで、本考案は、種々様々な形状の二輪車用バックミラーにおいて、二輪車の進路を側方及び後方の他車両に容易かつ確実に知らしめることができる二輪車用バックミラーキット及びバックミラーを提供することを目的とする。
【課題を解決するための手段】
【０００６】
本考案は、二輪車用バックミラーのミラー部に装着して用いられるバックミラーキットであって、前記ミラー部の表面に取付けられ、表面側に照射された光を反射するとともに、裏面側から照射された光を表面側に透過するハーフミラーと、該ハーフミラーの裏面に設けられる発光ダイオードと、該発光ダイオードに電力を供給するケーブルとを備えることを特徴とする。
【０００７】
かかるバックミラーキットによれば、ハーフミラーの裏面に発光ダイオードが設けられており、ケーブルを介して電力が供給されて発光ダイオードが発光する。そして、発光ダイオードの光は、ハーフミラーの裏面側から表面側に透過する。一方、ハーフミラーの表面側は、表面側に照射された光が反射されて鏡像が映し出されているが、発光ダイオードが発光すると、その光が透過した部分だけが明るく映し出される。これにより、バックミラーのミラー部分に、例えば、ウインカやブレーキランプ等に対応する二輪車の進路に関する情報を表示することができ、二輪車の進路を側方及び後方の車両等に容易かつ確実に知らしめることができる。
【０００８】
さらに、かかるハーフミラーキットによれば、二輪車に既に取付けられているバックミラーのミラーの表面に、ハーフミラーキットを装着することができる。そのため、既存のバックミラーのデザインを損なうことなく、側方及び後方の車両等に二輪車の進路を示すことができる。
【０００９】
また、前記発光ダイオードは、運転手から見て右側に取付けられるものは右側を指すように、左側に取付けられるものは左側を指すように、方向を表す形状に配置されることが好ましい。これにより、右側に取付けられるバックミラーのミラー部には、右側への二輪車の進行方向が表示され、左側に取付けられるバックミラーには、左側への二輪車の進行方向が表示される。そのため、二輪車の右側側方及び後方を走行する車両等に、該二輪車が右側への進路変更等の意思を有していることを、二輪車に左側側方及び後方を走行する車両等に、該二輪車が左側への進路変更等の意思を有していることを、容易かつ確実に伝えることができ、二輪車及びその周囲の車両の安全な走行に寄与することができる。
【００１０】
さらに、前記発光ダイオードは、ハーフミラー又はバックミラーに取付けられる基板に設けられていることが望ましい。これにより、ハーフミラーの裏側に設けられる発光ダイオードを予め基板上に配列しておき、該基盤をハーフミラー又はバックミラーに取付けることで、バックミラーキットを二輪車用バックミラーへ容易に装着することができる。
【００１１】
本考案は、ミラー部と、該ミラー部を収納するハウジングと、該ハウジングを支持する中空の支持体とを備えた二輪車用バックミラーであって、前記ミラー部は、表面側に照射された光を反射するとともに、裏面側から照射された光を表面側に透過するハーフミラーと、該ハーフミラーの裏面に設けられる発光ダイオードと、該発光ダイオードに電力を供給するケーブルとを備え、前記ケーブルは、前記ミラー部の裏面側から前記ハウジング及び前記支持体の内部に挿通されていることを特徴とする。
【００１２】
かかる本考案のバックミラーによれば、ハーフミラーの裏面に設けられた発光ダイオードに電力を供給するケーブルが、ハウジング及び支持体の内部に挿通されている。そのため、ケーブルが露出してバックミラーの外観を損なうことなく、発光ダイオードを発光させることができ、二輪車の進路を側方及び後方の車両等に容易かつ確実に知らしめることができる。
【００１３】
また、本考案は、ミラー部と、該ミラー部を収納するハウジングと、該ハウジングを支持する支持体とを備えた二輪車用バックミラーであって、前記ミラー部は、表面側に照射された光を反射するとともに、裏面側から照射された光を表面側に透過するハーフミラーと、該ハーフミラーの裏面に設けられる発光ダイオードと、該発光ダイオードに電力を供給するケーブルとを備え、前記支持体は、外面にその延伸方向に沿って設けられた溝部を有し、前記ケーブルは、前記ミラー部の裏面側から前記溝部を通して配線されていることを特徴とする。
【００１４】
かかる本考案のバックミラーによれば、ハーフミラーの裏面に設けられた発光ダイオードに電力を供給するケーブルが、支持体の溝部を通して配線されている。そのため、バックミラーの外観を損なうことなく、支持体の外側にケーブルを簡易に配線することができる。
【００１５】
前記発光ダイオードは、運転手から見て右側に取付けられるものは右側を指すように、左側に取付けられるものは左側を指すように、方向を表す形状に配置されて成ることを特徴とする。これにより、二輪車の左右への進路を、それぞれ左右側方及び後方の車両等に容易かつ確実に伝えることができ、二輪車及びその周囲の車両の安全な走行に寄与することができる。
【００１６】
さらに、前記発光ダイオードは、ハーフミラーに取付けられる基板に設けられていることを特徴とする。これにより、ハーフミラーの裏側に設けられる発光ダイオードを予め基板上に配列しておき、該基盤をハーフミラーに取付けることで、当該バックミラーの組み立てを容易にして製造コストの軽減を図ることができる。
【考案を実施するための最良の形態】
【００１７】
次に、添付の図面を参照しながら本考案の実施の形態についてさらに詳しく説明する。
【００１８】
図１は、二輪車のバックミラーに本考案のバックミラーキットを取り付けた状態の斜視図、図２は図１の分解図、図３は図１の内部構造を示す説明図、図４は本考案のバックミラーの変形例を示す図である。
【００１９】
図１に示すように、本実施形態のバックミラーキット１は、自動二輪車Ｘのバックミラー２に取り付けられる部材である。
【００２０】
具体的に、バックミラーキット１は、図２に示すように、一対のハーフミラー１１と、ＬＥＤ（発光ダイオード）１２が配列された一対の基板１３と、ＬＥＤ１２に電力を供給するための一対のケーブル１４とを備える。尚、図２では、一対の部材１１〜１４のうち一方のみを表している。
【００２１】
ハーフミラー１１は、表面と裏面とを有し、表面側に照射された光を反射するとともに、裏面側から照射された光を表面側に透過する。そのため、ハーフミラー１１の表面側は、入射光が全反射されて鏡面となっている。また、ハーフミラー１１の形状は、後述するバックミラー２のミラー部の形状と同形状となっている。
【００２２】
ＬＥＤ１２は、オレンジ色の単色光を発光する平板状のチップ型ＬＥＤであって、基板１３上に方向を指し示す形状となるように複数配列されて成る。方向を指し示す形状としては、例えば、矢印や、矢印方向を示す先端部分のみをあしらったものとなっている。
【００２３】
基板１３は、その端部にケーブル１４の一端が接続されており、基板１３の電気配線により各ＬＥＤ１２とケーブル１４とが電気的に接続される。また、基板１３は、配列されたＬＥＤ１２に対応した部分が穴部となってる基板カバー１５が取り付けられている。基板カバー１５は、基板１３にＬＥＤ１２及びケーブル１４が接続された後に取り付けられて、ＬＥＤ１２が穴部に落込んだ構造となっている。これにより、基板１３上のＬＥＤ１２が直接に他の部材と接触することがない。
【００２４】
ケーブル１４の他端部には、コネクタ１６が設けられている。コネクタ１６は、延長ケーブル１７のコネクタ部に接続され、延長ケーブル１７がウインカの配線部に接続される。これにより、ウインカの作動と連動して、ＬＥＤ１２に電力が供給されるようになっている。
【００２５】
一方、バックミラーキット１が装着されるバックミラー２は、ミラー部２１と、ミラー部２１を収納するハウジング２２と、ハウジング２２を支持する中空の支持体２３とを備える。
【００２６】
ミラー部２１は、通常の鏡体であって、ハウジング２２の開口部２４に収納された状態で、ハウジング２２の開口部２４に設けられた受け部（図示省略）によって固定される。
【００２７】
ハウジング２２と支持体２３の一端側は、上下左右に自由自在に連結される関節部２５を介して接続されている。関節部２５の一部は切欠かれており、ハウジング２２の開口部２４と支持体２３の内部が一部連通している。また、支持体２３の他端側には、固定部２６が設けられており、固定部２６で支持体２３を自動二輪車Ｘのハンドルにねじ留めすることにより、バックミラー２が自動二輪車Ｘのハンドルに固定されている。
【００２８】
以上が、本実施形態のバックミラーキット１、及びこれが取り付けられるバックミラー２の構成である。
【００２９】
次に、本実施形態のバックミラーキット１をバックミラー２に取り付ける手順について説明する。
【００３０】
まず、バックミラーキット１をバックミラー２に取り付ける作業を行う作業者は、ハーフミラー１１の裏面側に基板１３を貼り付ける。貼り付けは、例えば、両面テープその他の接着材等を用いて行われる。この際、基板１３に配置されたＬＥＤ１２が、運転手から見て右側に取付けられるものは右側を指すように、左側に取付けられるものは左側を指すように、基板１３をハーフミラー１１の裏面側に貼り付ける。
【００３１】
次いで、図３に示すように、基板１３に接続されているケーブル１４を配線する。具体的には、ケーブル１４のコネクタ１６に延長ケーブル１７を接続した上で、延長ケーブル１７をバックミラー２のハウジング２２及び支持体２３の内部に配線する。この際、ハウジング２２内への延長ケーブル１７の引込みは、ミラー部２１の端部とハウジング２２の開口部２４との間の間隙を通して行われる。また、ハウジング２２と支持体２３との間は、関節部２５の一部が切欠かれた部分を通して、延長ケーブル１７が配線される。
【００３２】
さらに、ハウジング２２及び支持体２３の内部に配線された延長ケーブル１７は、支持体２３の固定部２６付近に貫通孔２７を設けて、貫通孔２７からウインカの配線部に接続する。
【００３３】
次に、ケーブル１４の配線が完了すると、基板１３が貼り付けられたハーフミラー１１を、バックミラー２のミラー部２１の表面に取り付ける。ハーフミラー１１の取り付けは、例えば、両面テープその他の接着材を用いて行われる。
【００３４】
このようにして取り付けられたハーフミラー１１は、バックミラー２のミラー部２１と同様、表面側に入射された光が全反射されて鏡面となっている。そして、運転者が自動二輪車Ｘのウインカを作動されると、それに連動してＬＥＤ１２に電力が供給されて発光する。例えば、運転者が、右側のウインカを作動させた場合には、右側のバックミラー２のＬＥＤ１２が発光し、左側のウインカを作動させた場合には、左側のバックミラー２のＬＥＤ１２が発光する。
【００３５】
発光したＬＥＤの光は、ハーフミラー１１の裏面側に照射されて、照射された光が表面側へ透過する。そのため、ＬＥＤ１２が発光すると、その配列された複数のＬＥＤ１２の形状が表面側に映し出される。例えば、右側に取付けられるバックミラー２のハーフミラー１１には、右側への進行方向を示す形状が映し出され、左側に取付けられるバックミラー２のハーフミラー１１には、左側への進行方向を示す形状が映し出される。これにより、自動二輪車Ｘの左右への進路を、それぞれ左右側方及び後方の他の車両等に容易かつ確実に伝えることができ、自動二輪車Ｘ及びその周囲の車両等の安全な走行に寄与することができる。
【００３６】
また、本実施形態のハーフミラーキット１によれば、自動二輪車Ｘに既に取付けられているバックミラー２のミラー部２１に、ハーフミラーキット１を装着して用いることができるため、バックミラーのデザイン性を損なうこともない。
【００３７】
尚、本実施形態では、バックミラーキット１をバックミラー２に取り付けているが、これに限定されるものではく、バックミラー２のミラー部２１をハーフミラー１１に置き換えてバックミラー（本考案のバックミラーに相当する）そのものを発光する構成としてもよい。この場合、ケーブル１４及び延長ケーブル１７は、ハーフミラー１１の裏面側から直接ハウジング２２内に引き込まれて、バックミラーキット１をバックミラー２に装着した場合と同様の作用効果を得ることができる。
【００３８】
また、本実施形態では、バックミラー２の支持体２３内に延長ケーブル１７を通して配線したが、これに限定されるものではなく、図４に示すように、支持体２３の外面に延伸方向に沿って設けられた溝部２８を通して配線するようにしてもよい。この場合、ハーフミラー１１の裏面側からハウジング２２内に引き込まれた延長ケーブル１７は、関節部２５又はその近傍に設けた貫通孔２９を介して外側に引き出され、溝部２８に嵌め込まれる。そのため、バックミラー２の外観を損なうことなく、支持体２３の外側に延長ケーブル１７を容易に配線することができる。
【００３９】
さらに、本実施形態では、基板１３上に単色のＬＥＤ１２を、方向を表すように配列しているが、これに限らず、多色型のＬＥＤを基板１３上に複数配列して、当該ＬＥＤを所定のタイミングで所定の色に発光させることで、ハーフミラー１１に多様な表示を行うようにしてもよい。例えば、当該ＬＥＤをブレーキランプと連動させて、ハーフミラーの部分に赤色の四角形を映し出し、側方及び後方を走行する車両等に自動二輪車Ｘの制動操作を知らせることができる。また、ＬＥＤをポジションランプと連動させて、ライト点灯時にポジションランプとして発光させるようにしてもよい。
【図面の簡単な説明】
【００４０】
【図１】二輪車のバックミラーに本考案のバックミラーキットを取り付けた状態の斜視図。
【図２】図２は図１の分解図。
【図３】図３は図１の内部構造を示す説明図。
【図４】本考案のバックミラーの変形例を示す図。
【符号の説明】
【００４１】
１…バックミラーキット、２…バックミラー、１１…ハーフミラー、１２…ＬＥＤ（発光ダイオード）、１３…基板、１４…ケーブル、１５…基板カバー、２１…ミラー部、２２…ハウジング、２３…支持部、２４…開口部、２５…関節部、２６…固定部、２７…貫通孔、２８…溝部、２９…貫通孔。
【図１】
0003130154.tif 000003
【図２】
0003130154.tif 000004
【図３】
0003130154.tif 000005
【図４】
0003130154.tif 000006